(57)【要約】【課題】見栄えを向上させると共に、屋内への水の浸入を防ぐシールを容易に行えるようにする。【解決手段】壁１２を貫通する配管６を介して暖房端末に接続される暖房ユニット２を、壁１２に取り付ける取付構造であって、暖房ユニット２に隣接して配置され、配管６における暖房ユニット２と壁１２との間の部分を覆う取付部材５０と、取付部材５０の後壁５４と壁１２との間に配置され、配管６の周囲を取り囲むシール部材６０とを備える。【選択図】図３
2012132581.tif 000002
【特許請求の範囲】
【請求項１】
壁を貫通する配管を介して暖房端末に接続される暖房ユニットを、前記壁に取り付ける取付構造であって、
前記暖房ユニットに隣接して配置され、前記配管における前記暖房ユニットと前記壁との間の部分を覆う取付部材と、
前記取付部材の後壁と前記壁との間に配置され、前記配管の周囲を取り囲むシール部材とを備えることを特徴とする暖房ユニットの取付構造。
【請求項２】
取付部材は、
前記壁と対向する面以外の少なくとも一部に開口部を有する本体部と、
前記開口部を塞ぐカバー部とを有することを特徴とする請求項１に記載の暖房ユニットの取付構造。
【請求項３】
前記取付部材を前記壁側に押圧した状態で、前記取付部材を前記壁に固定する固定部材を備えることを特徴とする請求項１または２に記載の暖房ユニットの取付構造。
【請求項４】
前記取付部材の後壁には、前記配管が挿通される挿通部が設けられており、
前記挿通部は、前記取付部材の後壁から前方に向かって突出する筒状に形成されていることを特徴とする請求項１〜３のいずれかに記載の暖房ユニットの取付構造。
【請求項５】
前記暖房ユニットは、冷媒配管を介して室外機と接続されており、
前記取付部材は、前記暖房ユニットから引き出された前記冷媒配管の一部を覆っていることを特徴とする請求項１〜４のいずれかに記載の暖房ユニットの取付構造。
【請求項６】
壁を貫通する配管を介して暖房端末に接続される暖房ユニットを、前記壁に取り付ける取付構造であって、
前記暖房ユニットの後壁から前記配管が引き出されており、
前記暖房ユニットの後壁と前記壁との間に配置され、前記配管の周囲を取り囲むシール部材を備えることを特徴とする暖房ユニットの取付構造。
【請求項７】
前記暖房ユニットの後壁には、前記配管が挿通される挿通部が形成されており、
前記挿通部は、前記暖房ユニットの後面から前方に向かって突出する筒状に形成されていることを特徴とする請求項６に記載の暖房ユニットの取付構造。
【発明の詳細な説明】
【技術分野】
【０００１】
本発明は、壁を貫通する配管を介して暖房端末に接続される暖房ユニットの取付構造に関するものである。
【背景技術】
【０００２】
従来から、暖房装置として、暖房端末である床暖房パネルと、水配管を介して床暖房パネルに接続される暖房ユニットと、冷媒配管を介して暖房ユニットに接続される室外機とを備えるものがある（例えば特許文献１参照）。暖房ユニットは、室外機から供給された高温の冷媒との熱交換によって水を加熱して、その温水を床暖房パネルに供給する。
この暖房装置では、床暖房パネルは屋内の床面に設置され、暖房ユニットと室外機とは一体に構成されて屋外に設置される。暖房ユニットから引き出された水配管は、壁を貫通して床暖房パネルに接続される。
【先行技術文献】
【特許文献】
【０００３】
【特許文献１】特開２００９−２９９９７３号公報
【発明の概要】
【発明が解決しようとする課題】
【０００４】
しかしながら、室外機の背面には吸入口が設けられているため、室外機は壁からある程度離れた位置に設置する必要がある。そのため、室外機と一体化された暖房ユニットも壁から離れた位置に配置され、暖房ユニットと壁との間の水配管は、可撓性を有する筒状のカバーで覆われている。そのため、見栄えが良くない。
また、屋内への水の浸入を防止するために、設置時に、水配管が収容される筒状カバーと、壁に形成された貫通孔との間をパテでシールしているが、このようなパテを用いたシールは手間を要する。
【０００５】
そこで、本発明は、見栄えが良く、且つ、屋内への水の浸入を防ぐシールを容易に行うことのできる暖房ユニットの取付構造を提供することを目的とする。
【課題を解決するための手段】
【０００６】
第１の発明に係る暖房ユニットの取付構造は、壁を貫通する配管を介して暖房端末に接続される暖房ユニットを、前記壁に取り付ける取付構造であって、前記暖房ユニットに隣接して配置され、前記配管における前記暖房ユニットと前記壁との間の部分を覆う取付部材と、前記取付部材の後壁と前記壁との間に配置され、前記配管の周囲を取り囲むシール部材とを備えることを特徴とする。
【０００７】
この暖房ユニットの取付構造では、取付部材は、暖房ユニットから引き出された水配管の壁までの部分を覆っているため、見栄えが良い。
また、取付部材の後壁と壁との間に配置されたシール部材によって、屋内に水が浸入するのを防止できるため、パテを用いた場合に比べて容易にシールできる。
【０００８】
第２の発明に係る暖房ユニットの取付構造は、第１の発明において、取付部材は、前記壁と対向する面以外の少なくとも一部に開口部を有する本体部と、前記開口部を塞ぐカバー部とを有することを特徴とする。
【０００９】
この暖房ユニットの取付構造では、本体部の開口部からカバー部を外すことにより、取付作業やメンテナンスを容易に行うことができる。
【００１０】
第３の発明に係る暖房ユニットの取付構造は、第１または第２の発明において、前記取付部材を前記壁側に押圧した状態で、前記取付部材を前記壁に固定する固定部材を備えることを特徴とする。
【００１１】
この暖房ユニットの取付構造では、取付部材を壁側に押圧することで、シール部材は、取付部材の後壁と壁１２の間において押圧された状態で配置されるため、シール性を向上させることができる。
【００１２】
第４の発明に係る暖房ユニットの取付構造は、第１〜第３のいずれかの発明において、前記取付部材の後壁には、前記配管が挿通される挿通部が設けられており、前記挿通部は、前記取付部材の後壁から前方に向かって突出する筒状に形成されていることを特徴とする。
【００１３】
この暖房ユニットの取付構造では、挿通部が、取付部材の内側に向かって突出する筒状に形成されているため、取付部材の後壁の前面を伝って挿通部まで移動してきた水滴は、挿通部の外周面に沿って落下する。したがって、挿通部内に水が浸入するのを防止することができる。
【００１４】
第５の発明に係る暖房ユニットの取付構造は、第１〜第４のいずれかの発明において、前記暖房ユニットは、冷媒配管を介して室外機と接続されており、前記取付部材は、前記暖房ユニットから引き出された前記冷媒配管の一部を覆っていることを特徴とする。
【００１５】
この暖房ユニットの取付構造では、取付部材によって、暖房ユニットから引き出された冷媒配管の一部を覆って見えなくできる。
【００１６】
第６の発明に係る暖房ユニットの取付構造は、壁を貫通する配管を介して暖房端末に接続される暖房ユニットを、前記壁に取り付ける取付構造であって、前記暖房ユニットの後壁から前記配管が引き出されており、前記暖房ユニットの後壁と前記壁との間に配置され、前記配管の周囲を取り囲むシール部材を備えることを特徴とする。
【００１７】
この暖房ユニットの取付構造では、暖房ユニットは、壁に形成された孔の前方に配置されており、配管を見えなくできるため、見栄えが良い。
また、暖房ユニットの後壁と壁との間にシール部材を配置することで、屋内に水が浸入するのを防止できるため、パテを用いた場合に比べて容易にシールできる。
【００１８】
第７の発明に係る暖房ユニットの取付構造は、第６の発明において、前記暖房ユニットの後壁には、前記配管が挿通される挿通部が形成されており、前記挿通部は、前記暖房ユニットの後面から前方に向かって突出する筒状に形成されていることを特徴とする。
【００１９】
この暖房ユニットの取付構造では、挿通部が、暖房ユニットの内側に向かって突出する筒状に形成されているため、暖房ユニットの後壁の前面を伝って挿通部まで移動してきた水滴は、挿通部の外周面に沿って落下する。したがって、挿通部内に水が浸入するのを防止することができる。
【発明の効果】
【００２０】
以上の説明に述べたように、本発明によれば、以下の効果が得られる。
【００２１】
第１の発明では、取付部材は、暖房ユニットから引き出された水配管の壁までの部分を覆っているため、見栄えが良い。
また、取付部材の後壁と壁との間に配置されたシール部材によって、屋内に水が浸入するのを防止できるため、パテを用いた場合に比べて容易にシールできる。
【００２２】
第２の発明では、本体部の開口部からカバー部を外すことにより、取付作業やメンテナンスを容易に行うことができる。
【００２３】
第３の発明では、取付部材を壁側に押圧することで、シール部材は、取付部材の後壁と壁１２の間において押圧された状態で配置されるため、シール性を向上させることができる。
【００２４】
第４の発明では、挿通部が、取付部材の内側に向かって突出する筒状に形成されているため、取付部材の後壁の前面を伝って挿通部まで移動してきた水滴は、挿通部の外周面に沿って落下する。したがって、挿通部内に水が浸入するのを防止することができる。
【００２５】
第５の発明では、取付部材によって、暖房ユニットから引き出された冷媒配管の一部を覆って見えなくできる。
【００２６】
第６の発明では、暖房ユニットは、壁に形成された孔の前方に配置されており、配管を見えなくできるため、見栄えが良い。
また、暖房ユニットの後壁と壁との間にシール部材を配置することで、屋内に水が浸入するのを防止できるため、パテを用いた場合に比べて容易にシールできる。
【００２７】
第７の発明では、挿通部が、暖房ユニットの内側に向かって突出する筒状に形成されているため、暖房ユニットの後壁の前面を伝って挿通部まで移動してきた水滴は、挿通部の外周面に沿って落下する。したがって、挿通部内に水が浸入するのを防止することができる。
【図面の簡単な説明】
【００２８】
【図１】本発明の第１実施形態に係る暖房ユニットの取付構造が適用された暖房装置の概略構成を示す回路図である。
【図２】暖房ユニットと室外機の設置状況を示す斜視図である。
【図３】図２のIII−III線断面図である。
【図４】（ａ）は取付部材の本体部の正面図であり、（ｂ）は（ａ）の上視図であり、（ｃ）は取付部材のカバー部の正面図であり、（ｄ）はシール部材の正面図である。
【図５】本発明の第２実施形態に係る暖房ユニットの取付構造を示す断面図である。
【発明を実施するための形態】
【００２９】
[第１実施形態]
以下、本発明の第１実施形態に係る暖房ユニット２の取付構造について説明する。
【００３０】
＜暖房装置１の全体構成＞
まず、本実施形態の暖房ユニット２が用いられる暖房装置１の全体構成について説明する。  図１に示すように、暖房装置１は、室外機３と、暖房ユニット２と、複数（本実施形態では４つ）の床暖房パネル４（暖房端末）４とを備えている。床暖房パネル４は、家屋の床面に設置される。図２に示すように、室外機３と暖房ユニット２は別体に構成されており、共に屋外に設置される。室外機３は壁１２から１０ｃｍ以上離れた位置に設置され、暖房ユニット２は壁１２に取り付けらる。
【００３１】
図１に示すように、室外機３と暖房ユニット２とは、２本の冷媒配管５ａ、５ｂを介して接続されており、室外機３と暖房ユニット２と冷媒配管５ａ、５ｂによって冷媒循環回路１０が構成されている。また、暖房ユニット２と各床暖房パネル４とは、壁１２を貫通する２本の水配管６ａ、６ｂ（配管）を介して接続されており、暖房ユニット２と床暖房パネル４と水配管６ａ、６ｂによって温水循環回路１１が構成されている。この暖房装置１では、室外機３から暖房ユニット２に高温冷媒が供給され、暖房ユニット２において高温冷媒との熱交換により加熱された温水が床暖房パネル４に供給される。
【００３２】
以下、暖房装置１の冷媒循環回路１０について説明する。
室外機３は、圧縮機３１、室外熱交換器３２、および電動膨張弁３３がこの順に設けられた冷媒流路３０を有する。この冷媒流路３０には、四路切換弁３４が設けられており、四路切換弁３４を切り換えることにより、圧縮機３１の吐出側と吸入側のいずれかが室外熱交換器３２に接続される。また、冷媒流路３０における圧縮機３１の吸入側と四路切換弁３４との間にはアキュムレータ３５が設けられている。室外熱交換器３２の近傍には、室外ファン３６が配置されている。電動膨張弁３３は、その開度が変化することによって、暖房ユニット２に送る冷媒量を変更でき、減圧機構として機能する。
【００３３】
暖房ユニット２は、水熱交換器２１が設けられた冷媒流路２０を有している。この冷媒流路２０は、２本の冷媒配管５ａ、５ｂを介して、室外機３の冷媒流路３０に接続されている。これにより、圧縮機３１、水熱交換器２１、電動膨張弁３３、および室外熱交換器３２が順に接続された冷媒循環回路１０が構成される。この冷媒循環回路１０においては、圧縮機３１により圧縮された高温高圧の冷媒が、冷媒配管５ａを介して暖房ユニット２に送られ、暖房ユニット２の水熱交換器２１を通過した後、冷媒配管５ｂを介して室外機３に戻される。
【００３４】
次に、暖房装置１の温水循環回路１１について説明する。
暖房ユニット２は、上述の冷媒流路２０に加えて、温水流路２２を有しており、この温水流路２２は、主流路２２ａと、ヘッダ２３を介して主流路２２ａに接続された４本の分岐戻り管２２ｂと、ヘッダ２４を介して主流路２２ａに接続された４本の分岐往き管２２ｃで構成される。主流路２２ａには、ヘッダ２３側から順に、水熱交換器２１、貯留タンク２５、および循環ポンプ２６が介設されている。４本の分岐往き管２２ｃには、熱動弁２７がそれぞれ介設されている。４つの熱動弁２７は、４つの床暖房パネル４に送る温調水の流量を個別に変更するためのものである。
【００３５】
床暖房パネル４は、温水循環回路１１の一部を構成する蛇行形状のパイプを有している。床暖房パネル４のパイプは、水配管６ａ、６ｂを介して、暖房ユニット２の分岐往き管２２ｃと分岐戻り管２２ｂに接続されている。これにより、水熱交換器２１、貯留タンク２５、循環ポンプ２６、熱動弁２７、および床暖房パネル４が順に接続された温水循環回路１１が構成される。この温水循環回路１１においては、水熱交換器２１によって加熱された温調水が床暖房パネル４に供給され、床暖房パネル４から流出した冷媒が水熱交換器２１に戻される。
【００３６】
＜暖房ユニット２の取付構造＞
次に、暖房ユニット２の取付構造について説明する。
図２および図３に示すように、暖房ユニット２は、取付部材５０を用いて壁１２に取り付けられる。なお、以下の説明において、暖房ユニット２が取り付けられる壁１２から突出する方向を「前方」と称し、その反対の方向を「後方」と称する。また、図２に示す左右方向および上下方向を単に「左右方向」、「上下方向」と称する。
【００３７】
図１に示すように、暖房ユニット２と４つの床暖房パネル４とは、合計８本の水配管６ａ、６ｂによって接続されている。この８本の水配管６ａ、６ｂは、壁１２に形成された貫通孔１２ａを貫通して配置される。また、暖房ユニット２と室外機３とは、２本の冷媒配管５ａ、５ｂと電線（図示省略）によって接続されている。電線は、暖房装置１を制御するための情報を伝達するためのものである。なお、以下の説明において、８本の水配管６ａ、６ｂをまとめて水配管６と称し、２本の冷媒配管５ａ、５ｂをまとめて冷媒配管５と称する。
【００３８】
図３に示すように、暖房ユニット２は、略直方体状のケーシング４０を有している。図示は省略するが、ケーシング４０の内部には、上述の冷媒流路２０および温水流路２２、電装品等が収容されている。また、ケーシング４０の内部には、水配管６、冷媒配管５および電線が接続される接続部が設けられている。ケーシング４０の底部４１には、水配管６が引き出される水配管孔４１ａと、冷媒配管５と電線（図示省略）が引き出される冷媒配管孔（図示省略）とが形成されている。
【００３９】
取付部材５０は、下方が開口した直方体状の箱体であって、暖房ユニット２の下方に配置されると共に、壁１２に形成された貫通孔１２ａの前方に配置される。取付部材５０の左右方向長さおよび前後方向長さは、暖房ユニット２のケーシング４０とほぼ同じである。取付部材５０は、下方と前方が開口した本体部５２と、本体部５２の前方の開口を塞ぐ矩形板状のカバー部５１で構成されている。
【００４０】
図４（ｂ）に示すように、本体部５２の上壁５３における四隅近傍には、ケーシング４０の底部４１にネジ５７（図３参照）で固定するためのネジ孔５３ａが形成されている。また、図４（ａ）に示すように、本体部５２の後壁５４の上端近傍には、壁１２にネジ（固定部材）５８（図３参照）で固定するための３つのネジ孔５４ａが左右方向に並んで形成されている。本体部５２の後壁５４の下端近傍にも同様に、３つのネジ孔５４ａが左右方向に並んで形成されている。
【００４１】
図４（ｂ）に示すように、本体部５２の上壁５３には、水配管６が挿通される水配管孔５３ｂと、冷媒配管５と電線（図示省略）が挿通される冷媒配管孔５３ｃとが左右に並んで形成されている。水配管孔５３ｂと冷媒配管孔５３ｃは、ケーシング４０の底部４１に形成された水配管孔４１ａと冷媒配管孔（図示省略）に連通している。水配管孔５３ｂは、冷媒配管孔５３ｃよりも開口面積が大きい。
【００４２】
また、図４（ａ）に示すように、本体部５２の後壁５４には、水配管６が挿通される挿通部５６が設けられている。挿通部５６は、壁１２に形成された貫通孔１２ａと連通する。暖房ユニット２の下部から引き出された水配管６は、取付部材５０の上壁５３の水配管孔５３ｂを通って取付部材５０に挿入され、取付部材５０の後壁５４の挿通部５６から外部に引き出されて、壁１２の貫通孔１２ａに挿通されている。したがって、取付部材５０は、暖房ユニット２から引き出された水配管６における暖房ユニット２から壁１２までの間の部分を覆っている。
【００４３】
図３に示すように、挿通部５６は、取付部材５０の後壁５４から前方に向かって突出する円筒状に形成されている。そのため、後壁５４の内側の面（前面）を伝って挿通部５６まで移動してきた水滴は、挿通部５６の外周面に沿って落下するため、挿通部５６内に水が浸入するのを防止することができる。また、挿通部５６は、円錐台状のテーパー部５６ａと、テーパー部５６ａの小径端に接続された円筒部５６ｂとで構成されている。円筒部５６ｂの先端の外径は、円筒部５６ｂとテーパー部５６ａとの接続部分の外径よりも若干大きい。つまり、挿通部５６は、その突出先端が、径方向外側に若干広がるように形成されている。そのため、挿通部５６の外周面のうち、円筒部５６ｂとテーパー部５６ａとの接続部分に水滴を導くことができるため、挿通部５６内に水が浸入するのをより確実に防止することができる。挿通部５６は、例えばカーリング加工によって形成されている。
【００４４】
また、暖房ユニット２の下部から引き出された冷媒配管５と電線（図示省略）は、取付部材５０の上壁５３の冷媒配管孔５３ｃを通って取付部材５０に挿入されて、取付部材５０の下側開口から外部に引き出されて室外機３に接続されている。したがって、取付部材５０は、暖房ユニット２から引き出された冷媒配管５と電線（図示省略）の一部を覆っている。
【００４５】
また、図４（ａ）に示すように、本体部５２の左右側壁５５の前端における上下方向中央部には、カバー部５１を取り付けるための固定部５５ａが設けられている。固定部５５ａには、カバー部５１をネジ５９で固定するためのネジ孔５５ｂが形成されている。また、カバー部５１は、ネジ孔５５ｂに対応する位置に、ネジ孔５１ａを有している。
【００４６】
図３に示すように、取付部材５０の後壁５４と壁１２との間には、シール部材６０が配置されている。シール部材６０は、合成樹脂等の弾性を有する材料からなる板状部材である。シール部材６０は、後壁５４より若干小さい矩形状に形成されている。シール部材６０は、挿通部５６に対応する位置に、円形の貫通孔６０ａを有している。したがって、シール部材６０は、取付部材５０の後壁５４と壁１２との間において、水配管６の周囲を取り囲んでいる。貫通孔６０ａの径は、挿通部５６の後端の内径とほぼ同じである。また、シール部材６０は、取付部材５０のネジ孔５４ａに対応する位置に、ネジ孔６０ｂを有しており、取付部材５０の後壁５４と共に壁１２にネジ止めされている。取付部材５０を壁１２に固定するネジ５８を締めることで、取付部材５０は壁１２側に押圧されるため、シール部材６０は前後方向に押圧された状態で後壁５４と壁１２との間に配置されている。
【００４７】
シール部材６０は、接着材６１によって取付部材５０の後壁５４に接着されている。接着材６１は、フィルム状のものであってもよく、暖房ユニット２を壁１２に取り付ける際に現場で塗布されたものであってもよい。
【００４８】
暖房ユニット２の壁への取り付け手順としては、先ず、本体部５２の後壁５４にシール部材６０を貼り付ける。そして、カバー部５１を外した状態の本体部５２の後壁５４（とシール部材６０）を、壁１２に固定してから、本体部５２の上壁５３に暖房ユニット２を固定する。最後に、カバー部５１を本体部５２に取り付ける。
【００４９】
＜暖房ユニット２の取付構造の特徴＞
本実施形態では、取付部材５０は、壁１２の貫通孔１２ａの前に配置されており、取付部材５０によって、暖房ユニット２から引き出された水配管６の壁１２までの部分を覆って見えなくできるため、見栄えが良い。また、取付部材５０は、暖房ユニット２と一体感のある箱状に形成されているため、より見栄えが良い。
【００５０】
また、本実施形態では、取付部材５０の後壁５４と壁１２との間に配置されるシール部材６０によって、屋内に水が浸入するのを防止できるため、パテを用いた場合に比べて容易にシールできる。
【００５１】
また、本実施形態では、取付部材５０は、ネジ５８によって壁１２側に押圧された状態で壁１２に固定されている。そのため、シール部材６０は、取付部材５０の後壁５４と壁１２との間において、押圧された状態で配置されるため、シール性を向上させることができる。
【００５２】
また、本実施形態では、取付部材５０は、本体部５２と、この本体部５２の開口を覆うカバー部５１で構成されているため、本体部５２の開口からカバー部５１を外すことにより、取付作業やメンテナンスを容易に行うことができる。また、カバー部５１で塞がれる開口が、本体部５２の前方に設けられているため、取付作業等をより容易に行うことができる。
【００５３】
また、本実施形態では、挿通部５６が、取付部材５０の内側に向かって突出する筒状に形成されているため、取付部材５０の後壁５４の前面を伝って挿通部５６まで移動してきた水滴は、挿通部５６の外周面に沿って落下する。したがって、挿通部５６内に水が浸入するのを防止することができる。
【００５４】
また、本実施形態では、取付部材５０によって、暖房ユニット２から引き出された冷媒配管５の一部を覆って見えなくできる。
【００５５】
暖房ユニット２を壁１２に直接固定する場合、暖房ユニット２を支える必要があるが、本実施形態では、暖房ユニット２は、取付部材５０の上方に配置されると共に、この取付部材５０を介して壁１２に固定されるため、取付時に暖房ユニット２を支える必要がなく、取付作業を容易に行うことができる。
【００５６】
なお、上記実施形態では、本体部５２の下方は開口しているが、開口していなくてもよい。この場合、本体部５２の底部または側部には、冷媒配管５と電線が挿通される孔が設けられる。
【００５７】
また、上記実施形態では、取付部材５０は、前方が開口した本体部５２と、本体部５２の前方の開口を塞ぐカバー部５１で構成されているが、カバー部５１で塞がれる本体部５２の開口は、本体部５２の前方の開口に限定されるものではなく、本体部５２の後壁５４以外の少なくとも一部に形成された開口であればよい。例えば、取付部材５０は、側壁５５の一部が開口した本体部５２と、この開口を塞ぐカバー部５１で構成されていてもよい。
【００５８】
また、上記実施形態では、取付部材５０は、暖房ユニット２の下方に配置されるが、この構成に限定されない。例えば、暖房ユニット２の上方に配置されてもよい。
【００５９】
また、上記実施形態では、取付部材５０だけが壁１２に固定され、暖房ユニット２は壁に固定されていないが、暖房ユニット２も壁１２に固定されてもよい。また、暖房ユニット２だけが壁１２に固定され、取付部材５０は壁１２に固定されなくてもよい。
【００６０】
[第２実施形態]
次に、本発明の第２実施形態に係る暖房ユニット１０２の取付構造について説明する。
本実施形態の暖房ユニット１０２が用いられる暖房装置の全体構成は、第１実施形態と同様である。以下、前記第１実施形態と同様の構成を有するものについては、同じ符号を用いて適宜その説明を省略する。
【００６１】
図５に示すように、本実施形態の暖房ユニット１０２は、壁１２に直接取り付けられる。暖房ユニット１０２は、壁１２に形成された貫通孔１２ａの前方に配置される。暖房ユニット１０２は、略直方体状のケーシング１４０を有している。ケーシング１４０は、第１実施形態のケーシング１４０よりも縦長に形成されている。ケーシング１４０の内部には、上述の冷媒流路２０および温水流路２２と、電装品等が収容されている。
【００６２】
ケーシング１４０の後壁１４２の下側部分には、水配管６が挿通される挿通部１４３が設けられている。挿通部１４３は、壁１２に形成された貫通孔１２ａと連通する。挿通部１４３の形状は、第１実施形態の取付部材５０の後壁５４に設けられた挿通部５６の形状とほぼ同じである。ケーシング１４０内の冷媒流路２０に接続された水配管６は、挿通部１４３から外部に引き出されて、壁１２の貫通孔１２ａに挿通される。
【００６３】
ケーシング１４０の側壁１４４には、冷媒配管５と電線（図示省略）が挿通される貫通孔（図示省略）が形成されている。ケーシング１４０内の冷媒流路２０と電装品に接続された冷媒配管５と電線（図示省略）は、この貫通孔から外部に引き出されて、室外機３に接続されている。なお、本実施形態では、冷媒配管５はケーシング１４０の側壁１４４に設けられた孔から外部に引き出されているが、ケーシング１４０の底部に設けられた孔から外部に引き出されてもよい。
【００６４】
ケーシング１４０の後壁１４２上下端部は、連結部材７０、７１を介して壁１２に固定されている。連結部材７０、７１は、Ｓ字状に屈曲した金属平板であって、例えばネジによって後壁１４２と壁１２に固定されている。連結部材７０、７１の左右方向長さは、ケーシング１４０の左右方向長さとほぼ同じである。下側の連結部材７１は、挿通部１４３に対応する位置に、円形の貫通孔７１ａを有している。
【００６５】
ケーシング１４０の後壁１４２と壁１２との間（詳細には、連結部材７１と壁１２との間）には、シール部材１６０が配置されている。シール部材１６０は、合成樹脂等の弾性を有する材料からなる板状部材である。シール部材１６０の左右方向長さは、ケーシング１４０の左右方向長さとほぼ同じである。シール部材１６０は、接着材１６１によって連結部材７１に接着されている。シール部材１６０は、貫通孔７１ａに対応する位置に、円形の貫通孔１６０ａを有している。したがって、シール部材１６０は、後壁１４２と壁１２との間において、水配管６の周囲を取り囲んでいる。貫通孔１６０ａの径は、挿通部１４３の後端の内径とほぼ同じである。また、外力が作用していない状態のシール部材１６０の厚みは、連結部材７１と壁１２との隙間よりも若干大きい。したがって、シール部材１６０は、前後方向に押圧された状態で連結部材７１と壁１２との間に配置されている。
【００６６】
暖房ユニット１０２の壁１２への取り付け手順としては、先ず、ケーシング１４０の後壁１４２に、連結部材７０、７１を固定した後、連結部材７１の背面にシール部材１６０を貼り付ける。そして、ケーシング１４０に固定された連結部材７０、７１を、壁１２に固定する。
【００６７】
＜暖房ユニット１０２の取付構造の特徴＞
本実施形態では、暖房ユニット１０２は、壁１２の貫通孔１２ａの前に配置されており、水配管６を見えなくできるため、見栄えが良い。
【００６８】
また、本実施形態では、暖房ユニット１０２の後壁１４２と壁１２との間にシール部材１６０を配置することで、屋内に水が浸入するのを防止できるため、パテを用いた場合に比べて容易にシールできる。
また、シール部材１６０は、暖房ユニット１０２の後壁１４２と壁１２との間において、押圧された状態で配置されるため、シール性を向上させることができる。
【００６９】
また、本実施形態では、挿通部１４３が、ケーシング１４０の内側に向かって突出する筒状に形成されているため、例えば結露によってケーシング１４０の内面に水滴が付着して、この水滴がケーシング１４０の後壁１４２の前面を伝って挿通部１４３まで移動してきた場合、水滴は挿通部１４３の外周面に沿って落下する。したがって、挿通部１４３内に水が浸入するのを防止することができる。
【００７０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７１】
例えば、上記第１および第２実施形態では、取付部材５０の後壁５４に設けられた挿通部５６、および暖房ユニット１０２の後壁１４２に設けられた挿通部１４３は、前方に向かって突出する筒状に形成されているが、挿通部５６、１４３は、後壁５４、１４２に形成された単なる貫通孔であってもよい。
【００７２】
上記第１および第２実施形態では、取付部材５０および暖房ユニット１０２は、ネジによって壁１２に固定されているが、取付部材５０および暖房ユニット１０２を固定する手段は、ネジに限定されるものではない。
【００７３】
上記第１および第２実施形態では、本発明の暖房端末として、床暖房パネル４を用いた場合を例に挙げて説明しているが、暖房端末としてこれ以外のもの（例えばラジエータなど）を用いてもよい。
【００７４】
上記第１および第２実施形態では、室外機３に暖房ユニットが１つだけ接続されているが、複数の暖房ユニットが接続されていてもよい。この場合、室外機３の冷媒流路２０の両端部は、複数の分岐管に分岐し、この分岐管が冷媒配管５を介して暖房ユニットに接続される。
【００７５】
上記第１および第２実施形態では、室外機３に暖房ユニットだけが接続されているが、暖房ユニットに加えて、１つまたは複数の室内ユニットが接続されていてもよい。この場合も上記変更形態と同様に、室内機３の冷媒流路２０の両端部は、複数の分岐管に分岐し、この分岐管が冷媒配管５を介して暖房ユニットと室内ユニットに接続される。室内ユニットは、熱交換器とファンとを備え、暖房運転と冷房運転の両方を行う装置である。冷房運転時には、暖房ユニットに対応する電動膨張弁３３を閉じた状態で、四路切換弁３４を図１中破線で示す状態に切り換える。
【産業上の利用可能性】
【００７６】
本発明を利用すれば、見栄えが良く、且つ、屋内への水の浸入を防ぐシールを容易に行うことのできる。
【符号の説明】
【００７７】
２  暖房ユニット
３  室外機
４  床暖房パネル（暖房端末）
１０  壁
５  冷媒配管
６  水配管（配管）
５０  取付部材
５１  カバー部
５２  本体部
５６  挿通部
６０  シール部材
５８  ネジ（固定部材）
【図１】
2012132581.tif 000003
【図２】
2012132581.tif 000004
【図３】
2012132581.tif 000005
【図４】
2012132581.tif 000006
【図５】
2012132581.tif 000007